(57)【要約】【課題】  コンクリート製の利点を活かし、完全なプレキャスト化を達成し、現場での施工手間をなくし、かつ信頼性を確保でき、施工費用の低減を図りうるコンクリート製プレキャスト階段を提供する。【解決手段】  所定の高さと幅と厚さを有し、実質的に方形状の剛性体をなし、上下に連接される中間壁柱部１と；該中間壁柱部の前後面に高さを違えて中間壁柱部に接合固設される踊り場部４，５と；該中間壁柱部の両側に非固定で配され、かつ２つの踊り場部に架け渡されて固定される半階段躯体部２，３と；からなる。中間壁柱部１と踊り場部４，５との接合は、中間壁柱部に埋設された鋼製のボックスに踊り場部に埋設された鋼製の継手梁を挿入し、溶接固定してなされる。【選択図】  図１
2006077489.tif 000002
【特許請求の範囲】
【請求項１】
建物の躯体部とは分離され、該建物の躯体部の各階の階層部に接続され、各階において折れ状をもって接続するプレキャスト階段であって、
所定の高さと幅と厚さを有し、実質的に方形状の剛性体をなし、上下に連接される中間壁柱部と；
前記中間壁柱部の前後面に高さを違えて該中間壁柱部に接合固設される踊り場部と；
前記中間壁柱部を挟んで該中間壁柱部には非固定で配され、かつ前記２つの踊り場部に架け渡されて固定される半階段躯体部と；
からなり、
前記中間壁柱部、踊り場部及び半階段躯体部はコンクリート製である、
ことを特徴とするコンクリート製プレキャスト階段。
【請求項２】
建物の躯体部とは分離され、該建物の躯体部の各階の階層部に接続され、各階において折れ状をもって接続するプレキャスト階段であって、
所定の高さと幅と厚さを有し、実質的に方形状の剛性体をなし、上下に連接される中間壁柱部と；
前記中間壁柱部の前後面に高さを違えて該中間壁柱部に接合固設される踊り場部と；
前記中間壁柱部を挟んで該中間壁柱部には非固定で配され、かつ前記２つの踊り場部に架け渡されて固定される半階段躯体部と；
からなり、
前記中間壁柱部、踊り場部及び半階段躯体部はコンクリート製であるとともに、
前記中間壁柱部と前記踊り場部との接合部は、前記中間壁柱部には中空部を有する鋼製のボックスが埋設設置され、前記踊り場部には前記ボックスの中空部に挿入される鋼製の継手梁が配されてなる、
ことを特徴とするコンクリート製プレキャスト階段。
【請求項３】
継手梁は根本部が踊り場部に埋設設置され、その余の部分が中間壁柱部内に埋設されたボックスの中空部に挿入される請求項２に記載のコンクリート製プレキャスト階段。
【請求項４】
中間壁柱部の相互の連接は該中間壁柱部内に挿通される縦鉄筋による請求項１ないし３のいずれかに記載のコンクリート製プレキャスト階段。
【請求項５】
踊り場部には建物の躯体部との接合用の鉄筋が突設されてなる請求項１ないし４のいずれかに記載のコンクリート製プレキャスト階段。
【請求項６】
所定の高さと幅と厚さを有し、実質的に方形状の剛性体をなし、上下に連接される中間壁柱部と；前記中間壁柱部の前後面に高さを違えて該中間壁柱部に接合固設される踊り場部と；前記中間壁柱部を挟んで該中間壁柱部には非固定で配され、かつ前記２つの踊り場部に架け渡されて固定される半階段躯体部と；からなり、
前記中間壁柱部、踊り場部及び半階段躯体部はコンクリート製であるとともに、
前記中間壁柱部と前記踊り場部との接合部は、前記中間壁柱部には中空部を有する鋼製のボックスが埋設設置され、前記踊り場部には前記ボックスの中空部に挿入される鋼製の継手梁が配されてなるコンクリート製プレキャスト階段の施工方法であって、
前記中間壁柱部を鉛直を保って立設し、
該中間壁柱部の前後面に高さを違えて前記踊り場部を、前記ボックスへ前記継手梁を挿入し、該ボックスと継手梁とを溶接して固設し、
これらの踊り場部間に前記半階段躯体部を接合する、
ことを特徴とするコンクリート製プレキャスト階段の組立て施工方法。
【発明の詳細な説明】
【技術分野】
【０００１】
この発明は、コンクリート製プレキャスト階段に関し、更に詳しくは、プレキャスト部材の組立てをもって構築され、建物躯体に接続されて使用されるコンクリート製プレキャスト階段に関する。
【背景技術】
【０００２】
プレキャスト階段として金属 (鋼製) のものが一部に使用されているが、このものは人の昇降の際の発生音の問題があり、普及の妨げとなっている。
コンクリート製については防音性の見地から好ましいが、プレキャスト化が部分的になされ、場所打ちとの併用となり、施工手間が掛かり、信頼性の確保とともに費用の高騰要因ともなり、その普及の隘路となっている。
【発明の開示】
【発明が解決しようとする課題】
【０００３】
本発明は上記実情に鑑みなされたものであって、コンクリート製の利点を活かし、完全なプレキャスト化を達成し、現場での施工手間をなくし、かつ構造的にも強度が確保でき、併せて施工費用の低減を図りうるコンクリート製プレキャスト階段を提供することを目的とする。
本発明はこのため、階段を構成する部位のうち、特に踊り場部に着目し、上下に連設される補剛性のある中間壁柱部を導入し、当該踊り場部と中間壁柱部を剛結し、十分な強度を持たせることがこの目的を達成しえるとの知見に基づいてなされたものである。
【課題を解決するための手段】
【０００４】
本発明のコンクリート製プレキャスト階段は、具体的には次の構成を採る。
本発明の第１番目は、コンクリート製プレキャスト階段に係り、請求項１に記載のとおり、建物の躯体部とは分離され、該建物の躯体部の各階の階層部に接続され、各階において折れ状をもって接続するプレキャスト階段であって、
所定の高さと幅と厚さを有し、実質的に方形状の剛性体をなし、上下に連接される中間壁柱部と前記中間壁柱部の前後面に高さを違えて該中間壁柱部に接合固設される踊り場部と前記中間壁柱部を挟んで該中間壁柱部には非固定で配され、かつ前記２つの踊り場部に架け渡されて固定される半階段躯体部とからなり、
前記中間壁柱部、踊り場部及び半階段躯体部はコンクリート製である、
ことを特徴とする。
本発明において、中間壁柱部相互の接合、中間壁柱部と踊り場部との接合及び踊り場部と半階段躯体部との接合は、以下の実施形態で具体的に示されるが、本発明の本質的思想を損わない範囲で通常の接合手段を採用しえる。
上記構成において、
1)中間壁柱部の相互の連接は該中間壁柱部内に挿通される縦鉄筋によること、
2)踊り場部には建物の躯体部との接合用の鉄筋が突設されてなること、
は適宜選択実施される技術的事項である。
更に、中間壁柱部と踊り場部との取付けは、通常には１つの中間壁柱部に前後２つの踊り場部が配されるが、１つの中間壁柱部に１つの踊り場部あるいは１つの中間壁柱部に３つ以上の踊り場部を配する態様を採りうる。
【０００５】
（作用）
本コンクリート製プレキャスト階段の各要素部材すなわち中間壁柱部、半階段躯体、及び踊り場部は工場で製造される。最下部の中間柱壁部は基礎用として、また、最下層（１階部分）の踊り場部及び最上層の踊り場部は特別に作成される。
組立て施工において、下層より上層へ順次、中間壁柱部を建て込み、該中間壁柱部の前面及び後面に踊り場部を接合して固定設置する。半階段躯体部はこれらの踊り場部に架け渡されて固定設置される。
中間壁柱部相互の接合、及び該中間壁柱部と踊り場部との接合は一体になされ、一体性をもって大きな強度を発揮する。半階段躯体部はこの骨組み体に支持され、安定して支持される。
【０００６】
本発明の第２番目はコンクリート製プレキャスト階段に係り、請求項２に記載のとおり、建物の躯体部とは分離され、該建物の躯体部の各階の階層部に接続され、各階において折れ状をもって接続するプレキャスト階段であって、
所定の高さと幅と厚さを有し、実質的に方形状の剛性体をなし、上下に連接される中間壁柱部と前記中間壁柱部の前後面に高さを違えて該中間壁柱部に接合固設される踊り場部と前記中間壁柱部を挟んで該中間壁柱部には非固定で配され、かつ前記２つの踊り場部に架け渡されて固定される半階段躯体部とからなり、
前記中間壁柱部、踊り場部及び半階段躯体部はコンクリート製であるとともに、
前記中間壁柱部と前記踊り場部との接合部は、前記中間壁柱部には中空部を有する鋼製のボックスが埋設設置され、前記踊り場部には前記ボックスの中空部に挿入される鋼製の継手梁が配されてなる、
ことを特徴とする。
上記構成において、
1)中間壁柱部の相互の連接は該中間壁柱部内に挿通される縦鉄筋によること、
2)踊り場部には建物の躯体部との接合用の鉄筋が突設されてなること、
3)継手梁は根本部が踊り場部に埋設設置され、その余の部分が中間壁柱部内に埋設されたボックスの中空部に挿入されること、
4)ボックスと継手梁とはそれらの挿入後、互いに密接により固定されること、
は適宜選択実施される技術的事項である。
更に、中間壁柱部と踊り場部との取付けは、通常には１つの中間壁柱部に前後２つの踊り場部が配されるが、１つの中間壁柱部に１つの踊り場部あるいは１つの中間壁柱部に３つ以上の踊り場部を配する態様を採りうる。
本発明において、鋼製のボックスと該ボックスに挿入された継手梁との接合は以下の実施形態で具体的に示されるが、密接の限定されず、他の固着態様も採り得る。
【０００７】
（作用）
本コンクリート製プレキャスト階段の各要素部材すなわち中間壁柱部、半階段躯体、及び踊り場部は工場で製造される。最下部の中間柱壁部は基礎用として、また、最下層（１階部分）の踊り場部及び最上層の踊り場部は特別に作成される。
組立て施工において、下層より上層へ順次、中間壁柱部を建て込み、該中間壁柱部の前面及び後面に踊り場部をボックスと継手梁との嵌合により接合して固定設置する。踊り場部はぐらつくことなく所定位置に所定精度を保って保持される。半階段躯体部はこれらの踊り場部に架け渡されて固定設置される。
中間壁柱部相互の接合、及び該中間壁柱部と踊り場部との接合は一体になされ、これらは特に頑丈な骨組み体となり一体性をもって大きな強度を発揮する。半階段躯体部はこの骨組み体に支持され、安定して支持される。
【０００８】
本発明の第３番目はコンクリート製プレキャスト階段の組立て施工方法に係り、請求項６に記載のとおり、所定の高さと幅と厚さを有し、実質的に方形状の剛性体をなし、上下に連接される中間壁柱部と；前記中間壁柱部の前後面に高さを違えて該中間壁柱部に接合固設される踊り場部と；前記中間壁柱部を挟んで該中間壁柱部には非固定で配され、かつ前記２つの踊り場部に架け渡されて固定される半階段躯体部と；からなり、
前記中間壁柱部、踊り場部及び半階段躯体部はコンクリート製であるとともに、
前記中間壁柱部と前記踊り場部との接合部は、前記中間壁柱部には中空部を有する鋼製のボックスが埋設設置され、前記踊り場部には前記ボックスの中空部に挿入される鋼製の継手梁が配されてなるコンクリート製プレキャスト階段の施工方法であって、
前記中間壁柱部を鉛直を保って立設し、
該中間壁柱部の前後面に高さを違えて前記踊り場部を、前記ボックスへ前記継手梁を挿入し、該ボックスと継手梁とを溶接して固設し、
これらの踊り場部間に前記半階段躯体部を接合する、
ことを特徴とする。
本発明において、中間壁柱部と踊り場部との取付けは、通常には１つの中間壁柱部に前後２つの踊り場部が配されるが、１つの中間壁柱部に１つの踊り場部あるいは１つの中間壁柱部に３つ以上の踊り場部を配する態様を採りうる。
【発明の効果】
【０００９】
本発明のコンクリート製プレキャスト階段によれば、中間壁柱部と踊り場部との接合は一体になされ、大きな強度を発揮し、これらに取り付けられる半階段躯体部も含め頑丈な構造体が得られる。
また、各構成部材は、ほぼ同程度の大きさとなり、格別大きな部材とならず、搬送において場所を取らず便利であり、組立て現場における吊上げ操作も容易である。
更に、ほぼ完全なプレキャスト化を達成し、現場での施工手間をなくし、かつ信頼性を確保でき、施工費用の低減を図りうる。
第２発明において、中間壁柱部と踊り場部とは、ボックスと継手梁との固定がなされるので、一体の骨組み体を形成し、大きな強度を発揮し、高い施工精度とともに迅速な施工が可能となり、優れた施工の信頼性が得られる。
【発明を実施するための最良の形態】
【００１０】
本発明のコンクリート製プレキャスト階段の実施の形態を図面に基づいて説明する。
（実施形態の構成）
図１〜図２９は本発明のコンクリート製プレキャスト階段の一実施形態を示し、立型階段への適用例を示し、主として標準階部分の態様を示す。
すなわち、図１〜図４はその全体の構成を示し、図５〜図２９はその部分構成を示す。図において、Ｋはそのコンクリート製プレキャスト階段、Ｂは基礎部、Ｇは地盤を示す。
【００１１】
以下の説明において、本実施形態の階段は建物Ｈ（図示されず、記号のみ）の階層に対応して階層毎に１つの折れ状をなし、上方から見て右回りに人は昇るものとする。従って、左回りの態様については左回りに対応して以下の本プレキャスト階段の構成は適宜改変される。
更に、本実施形態では、建物Ｈに直交し直角に昇降するいわゆる「立型」を採るが、建物Ｈと平行に昇降するいわゆる「横型」（あるいは「平行型」）についても適用される。
【００１２】
図１〜図４に示されるように、本実施形態のコンクリート製プレキャスト階段Ｋ（以下、単に「プレキャスト階段」という）は、中央に配される中間壁柱部１、該中間壁柱部１の一方の側面の下部に配され、折れ状をなす階段部の１つと該折れ状階段部と一体の一側面の袖壁部とからなる下部半階段躯体部２、該中間壁柱部１の他方の側面の上部に配され、折れ状階段部の他の１つと該折れ状階段部と一体の一側面の袖壁部とからなる他の上部半階段躯体部３、前に中間壁柱部１の前部及び後部に定着され、該２つの半階段躯体部２，３の折れ状階段の折れ部（前方部）に接続される中層踊り場部４及び上層踊り場部５、を含む。なお、第１階層部においては、これらに下層踊り場部６が付加される。
【００１３】
以下、各部の細部構造を説明する。
中間壁柱部１（図１〜図４、図５、図６参照）
中間壁柱部１は、所定の高さ（Ａ）・幅（Ｂ）・厚さ（Ｃ）の矩形板状体をなし、本コンクリート製プレキャスト階段Ｋの中央部に配され、上下に接合構造１００をもって連接される。１Ａはその第１層目（標準階）の中間壁柱部を指し、１Ｂはその上に連接される中間壁柱部であり、以下、更にその上方に１Ｃ，１Ｄ…（図示せず）と連接される。また、最下層の中間壁柱部１の下方には基礎部Ｂが配される。該中間壁柱部１は、前後に配される踊り場部４，５とは接合構造２００，３００をもって固設され、側部に配される半階段躯体部２，３とは固設されない。
該中間壁柱部１の高さＡは建物Ｈの階層高さに一致する。また、その幅Ｂ、厚さＣも所定の剛性を保持するに十分な大きさを確保される。
該中間壁柱部１は所定の剛性を保持すべく内部に適宜鉄筋籠１０が埋設されるが、その余に縦筋１１が配される。該縦筋１１は鉄筋籠１０の縦筋を兼ねてもよい。縦筋１１は接合構造１００の一部を構成する。
【００１４】
下部半階段躯体部２（図１〜図４、図７、図８参照）
下部半階段躯体部２は、該中間壁柱部１の一方の側面に接して配され、折れ状をなす１つの階段部１３と該折れ状階段部と一体の袖壁部１４とからなる。該下部半階段躯体部２内には補強鉄筋１５が配される。該下部半階段躯体部２は中間壁柱部１の側面に当接するものであるが、中間壁柱部１とは非固定となり、中間壁柱部１に固定される踊り場部４，５に跨って接合構造４００，５００をもって固定される。従って、該下部半階段躯体部２と中間壁柱部１との当接は非本質的事項であり、該下部半階段躯体部２は中間壁柱部１との間に一定隙間を存してもよい。
【００１５】
上部半階段躯体部３（図１〜図４、図９、図１０参照）
上部半階段躯体部３の構成は、下部半階段躯体部２に準じ、階段部１７、袖壁部１８を有し、更には内部に補強鉄筋１９が配される。また、接合構造４００，５００をもって踊り場部４，５に固定される。
【００１６】
中層踊り場部４（図１〜図４、図１１、図１２参照）
中層踊り場部４は、該中間壁柱部１の前部の中間部位に接合構造２００をもって固設され、下部半階段躯体部２及び上部半階段躯体部３の前端部とも接合構造４００をもって接合される。
該中層踊り場部４は長方形状の底板部２１と該底板部２１の３周を囲む袖壁部２２とからなり、内部に補強鉄筋２３が配される。底板部２１の下面中央には、後記する接合構造２００の継手梁（２３０、後記）を埋込み保持する膨出部２１ａが形成される。
【００１７】
上層踊り場部５（図１〜図４、図１３、図１４参照）
上層踊り場部５は、該中間壁柱部１の後部の上方部位に接合構造３００をもって固設され、上部半階段躯体部３の後端部、更には上層階の下部半階段躯体部２の後端部とも接合構造５００をもって接合される。
該上層踊り場部５は、長方形状の底板部２５、該床板部２５の両側面の袖壁部２６及び継手梁を保持する膨出部２５ａを有する。内部に補強鉄筋２７が配される。
該上層踊り場部５には、建物Ｈ本体の階層床との接合を図るべく、その鉄筋２７が露出される。
【００１８】
以上は標準階部分へ適用されるものであるが、最下層階及び最上層階部分については変更が加えられる。
下層踊り場部６、その他（図１〜図４参照）
下層踊り場部６は、上層踊り場部５の構成に準じ、床板２５、袖壁部２６を有するが、上部半階段躯体部３との接合部（５００Ａ）及び膨出部２５ａは省略され、当該部分の袖壁部２６は前面２９にも延設され、いわゆるＬ形袖壁部となる。
最上層の踊り場部５Ａ（図示せず、記号のみ）については、上層踊り場部５の構成に準じ、床板、袖壁部、膨出部を有するが、下部半階段躯体部２との接合部（５００Ｂ）は省略され、当該部分の袖壁部２６は前面に延設される。
基礎部Ｂ（図１〜図４参照）  
第１階層部については基礎部Ｂが形成され、中間壁柱部１及び下層踊り場部６との接合設置が図られる。
詳しくは、基礎部Ｂは地盤Ｇに対し広い支持面を有し、縦鉄筋 (図示せず）が立設されて中間壁柱部１との接合のなされる接合部（１１０、後述）を構成する。該基礎部Ｂは上記の各部材と同様にプレキャストであってもよく、あるいは現場打ちとされてもよい。
【００１９】
接合構造（図５〜図２９参照）
以下、各プレキャスト部材１，２，３，４，５，６間における接合構造の詳細を説明する。
図１５〜図２９において、各接合構造１００，２００，３００，４００，５００の細部構造が示される。
【００２０】
接合構造１００（図５、図６、図１８、図１９参照）
接合構造１００は、中間壁柱部１相互の上下の接合に供され、上部接合部１１０と下部接合部１２０からなる。上部接合部１１０は該中間壁柱部１の内部縦筋１１が上方へ延出され、当該延出部分がそのまま利用される。下部接合部１２０は、該中間壁柱部１の内部縦筋１１の下方部に挿通把持されたスリーブ継手管１３０を主体とする。該スリーブ継手管１３０は内部に空間１３２を有し、下方の空孔１４０に連なる。上部接合部１１０の内部縦筋１１はこのスリーブ継手管１３０内に挿通され、空間１３２内に充填された充填材の固結により定着される。
接合に当たり、１層目の中間壁柱部１Ａの上面と２層目の中間壁柱部１Ｂの下面との間に鋼製のスペーサ（図示せず）が介装され、すき間αを保持し、スリーブ継手管１３０内へ固着充填材（通常は無収縮モルタル）を充填する。縦筋１１回りにはコーキングが施され、充填材の逸出を阻止する。勿論、中間壁柱部１Ａ，１Ｂ相互は密接されてもよい。
中間壁柱部１相互は縦筋１１により荷重伝達がなされる。
本接合部１００において、上部接合部１１０と下部接合部１２０とは上下が逆の構成であってもよい。
【００２１】
接合構造２００（図５、図６、図１１、図１２、図１５〜図１８参照）
接合構造２００は中間壁柱部１と中層踊り場部４との接合に供され、壁柱側接合部２１０と踊り場側接合部２２０とからなる。
壁柱側接合部２１０は、中間壁柱部１の前部に埋め込まれる鋼製の四角箱体を主体とし、前部は開口され、後部は閉塞される。該壁柱側接合部２１０の箱体は所定の剛性を発揮すべく所定の厚みをもって形成される。更に、箱体の外側には補強リブ、あるいはアンカー筋が適宜取り付けられる。また、該壁柱側接合部２１０の内孔部２１２は所定精度をもって所定の内法（うちのり）寸法を保持する。
踊り場側接合部２２０は、中層踊り場部４の後部において底板部２１の中央に埋設されかつその後部を後方へ突出させた鋼製の継手梁２３０を主体とする。該継手梁２３０はＨ型鋼２３２を主体とし、該継手梁２３０の前部を残して該継手梁２３０の両側面には側鋼板２３４が一体に溶接固定されてなる。該側鋼板２３４により所定の四角形状をなす。該継手梁２３０は床板２１に下方へ膨出２１ａさせて埋設されるとともに、後部の突出部の四角断面部は壁柱側接合部２１０の内孔部２１２に挿入される。
接合において、継手梁２３０は壁柱側接合部２１０の内孔部２１２内に僅かの隙間を存して挿入され、所定長で停止するが、上面部で該継手梁２３０と壁柱側接合部２１０の箱体とは溶接２４０される。
【００２２】
接合構造３００（図５、図６、図１３、図１４参照）
接合構造３００は中間壁柱部１と上層踊り場部５との接合に供され、壁柱側接合部３１０と踊り場側接合部３２０とからなる。該接合構造３００の構成は接合構造２００に準じる。
すなわち、壁柱側接合部３１０は、中間壁柱部１の後部に埋め込まれる鋼製の四角箱体を主体とし、後部は開口され、前部は閉塞される。該壁柱側接合部３１０の箱体は所定の剛性を発揮すべく所定の厚みをもって形成される。更に、箱体の外側には補強リブ、あるいはアンカー筋が適宜取り付けられる。また、該壁柱側接合部３１０の内孔部は所定精度をもって所定の内法（うちのり）寸法を保持する。
踊り場側接合部３２０は、上層踊り場部５の後部において底板部２５の中央に埋設されかつその後部を後方へ突出させた鋼製の継手梁を主体とする。該継手梁はＨ型鋼を主体とし、該継手梁の後部を残して該継手梁の両側面には側鋼板が一体に溶接固定されてなる。該側鋼板により所定の四角形状をなす。該継手梁は床板２５に下方へ膨出２５ａさせて埋設されるとともに、前部の突出部の四角断面部は壁柱側接合部３１０の内孔部に挿入される。
接合において、継手梁は壁柱側接合部３１０の内孔部内に僅かの隙間を存して挿入され、所定長で停止するが、上面部で該継手梁と壁柱側接合部３１０の箱体とは溶接される。
【００２３】
接合構造４００（図７〜図１２、図２０〜図２２参照）
接合構造４００は、下部半階段躯体部２及び上部半階段躯体部３と中層踊り場部４との接合に供され、下部半階段躯体部２との接合部４００Ａと上部半階段躯体部３との接合部４００Ｂとからなる。
（接合部４００Ａ）（図２０〜図２２参照）
先ず、下部半階段躯体部２との接合部４００Ａについて説明する。
当該接合部４００Ａは、下部半階段躯体部２の接合部４１０と、中層踊り場部４の接合部４２０とからなる。
図２０はその全体の概略構成を示し、階段側凹部４１２と踊り場側凹所４２２とが相対応して設けられる。これらの配設箇所は図例では２か所を示すが、１か所、更には３か所以上でもよく、要は階段部１３の中心線を対称軸として対称を保つことである。
図２１及び図２２はその詳細構成を示す。なお、図２１はモルタルが充填された状態を示し、図２２はモルタルが未充填の状態を示す。
階段側凹部４１２は階段部１３の上縁角部において上方及び前方に向けて開き、その底部にＬ字状アングル材４１４が表面を露出して埋め込まれる。該Ｌ字状アングル材４１４は例えばアンカー鉄筋４１６により階段部１３の躯体内部に定着されるものであり、その態様は問わない。
一方、踊り場側凹所４２２は中層踊り場部４の底板２１の後縁角部において上方及び後方に向けて開き、その前壁に平鋼板４２４が表面を露出して埋め込まれる。そして、該平鋼板４２４は例えばアンカー鉄筋４２６により踊り場部４の底板２１の躯体内部に定着されるものであり、その定着態様は問わない。
しかして、接合において、これらのアングル材４１４と平鋼板４２４とに跨って接合用アングル材４３０が溶接接合される。４３０ａは該接合用アングル材４３０の鉛直部、４３０ｂはその水平部である。
接合手順については、両凹部４１２，４２２は所定の対応位置に配され、先ず接合用アングル材４３０の鉛直部４３０ａが平鋼板４２４に溶接４３２され、次いでその水平部４３０ｂがアングル材４１４に溶接４３４される。その溶接が終了した後、当該凹部４１２，４２２内にモルタル４３６が充填され、階段面は平滑にされる。
なお、本接合部４００Ａにおいて、Ｌ字状の接合用アングル材４３０に替えて、平鋼板としてもよい。
また、本接合部４００Ａ、下部半階段躯体部２の端面１３ａと中層踊り場部４との端面２１ａとは傾斜面をなし、下部半階段躯体部２の設置の際の案内作用を果たす。
【００２４】
（接合部４００Ｂ）（図２３〜図２５参照）
上部半階段躯体部３との接合部４００Ｂは、上部半階段躯体部３の接合部４４０と中層踊り場部４の接合部４５０とからなる。
図２３はその全体の概略構成を示し、階段側凹部４４２と踊り場側凹所４５２とが相対応して設けられる。これらの配設箇所は図例では２か所を示すが、１か所、更には３か所以上でもよく、要は階段部１３の中心線を対称軸として対称を保つことである。
図２４及び図２５はその詳細構成を示す。
階段側凹部４４２は階段部１７の下縁角部において下方及び前方に向けて開き、その底部にＬ字状アングル材４４４が表面を露出して埋め込まれる。該Ｌ字状アングル材４４４は例えばアンカー鉄筋４４６により階段部１３の躯体内部に定着されるものであり、その態様は問わない。
一方、踊り場側凹所４５２は中層踊り場部４の底板２１の後部上面において上方に向けて開き、その底部に平鋼板４５４が表面を露出して埋め込まれる。そして、該平鋼板４５４は例えばアンカー鉄筋４５６により踊り場部４の底板２１の躯体内部に定着されるものであり、その定着態様は問わない。
しかして、接合において、これらのアングル材４４４と平鋼板４５４とに跨って接合用アングル材４６０が溶接接合される。４６０ａは該接合用アングル材４６０の鉛直部、４６０ｂはその水平部である。
接合手順については、両凹部４４２，４５２は所定の対応位置に配され、先ず接合用アングル材６３０の鉛直部４６０ａが平鋼板４５４に溶接４６２され、次いでその水平部４６０ｂがアングル材４４４に溶接４６４される。その溶接が終了した後、当該凹部４４２，４５２内にモルタルが充填され、階段面は平滑にされる。
なお、本接合部４００Ｂにおいて、Ｌ字状接合用アングル材４６０に替えて、平鋼板としてもよい。
また、本接合部４００Ｂにおいて、中層踊り場部４の上縁には段部２１ｂが形成され、上部半階段躯体部３の設置の際の位置決め作用を果たす。
【００２５】
接合構造５００（図７〜図１０、図１３、図１４、図２６、図２７参照）
接合構造５００は、上部半階段躯体部３及び下部半階段躯体部２と上層踊り場部５との接合に供され、上部半階段躯体部３との接合部５００Ａと下部半階段躯体部２との接合部５００Ｂとからなる。
（接合部５００Ａ）（図２６参照）
先ず、上部半階段躯体部３との接合部５００Ａについて説明する。なお、該接合部５００Ａは、接合部４００Ａの構成に準じ、図２１に対応する図２６のみを示し、図２０、図２２に対応する図は省略されているが類推適用される。
当該接合部５００Ａは、上部半階段躯体部３の接合部５１０と、上層踊り場部５の接合部５２０とからなる。
階段側凹部５１２は階段部１７の上縁角部において上方及び後方に向けて開き、その底部にＬ字状アングル材５１４が表面を露出して埋め込まれる。
該Ｌ字状アングル材５１４は例えばアンカー鉄筋５１６により階段部１７の躯体内部に定着されるものであり、その態様は問わない。
一方、踊り場側凹所５２２は上層踊り場部５の底板２５の後縁角部において上方及び前方に向けて開き、その後壁に平鋼板５２４が表面を露出して埋め込まれる。
そして、該平鋼板５２４は例えばアンカー鉄筋５２６により踊り場部５の底板２５の躯体内部に定着されるものであり、その定着態様は問わない。
しかして、接合において、これらのアングル材５１４と平鋼板５２４とに跨って接合用アングル材５３０が溶接接合される。
接合手順については、両凹部５１２，５２２は所定の対応位置に配され、先ず接合用アングル材５３０の鉛直部が平鋼板５２４に溶接され、次いでその水平部がアングル材５１４に溶接される。
その溶接が終了した後、当該凹部５１２，５２２内にモルタル５３６が充填され、階段面は平滑にされる。
１７ａ，２５ａは階段躯体部、踊り場部の端面の傾斜面である。
（接合部５００Ｂ）（図２７参照）
下部半階段躯体部２との接合部５００Ｂについても、図２７の示すとおり、接合部４００Ｂの構成に準じる。図２７は図２４に対応するものであり、図２３、図２５の対応図は省略されている。
当該接合部５００Ｂは、下部半階段躯体部２の接合部５４０と、上層踊り場部５の接合部５５０とからなる。
階段側凹部５４２は階段部１７の下縁角部において下方及び後方に向けて開き、その底部にＬ字状アングル材５４４が表面を露出して埋め込まれる。該Ｌ字状アングル材５４４は例えばアンカー鉄筋５４６により階段部１３の躯体内部に定着されるものであり、その態様は問わない。
一方、踊り場側凹所５５２上層踊り場部５の底板２５の前部上面において上方に向けて開き、その底部に平鋼板５５４が表面を露出して埋め込まれる。そして、該平鋼板５５４は例えばアンカー鉄筋５５６により踊り場部５の底板２５の躯体内部に定着されるものであり、その定着態様は問わない。２５ｂは段部である。
しかして、接合において、これらのアングル材５４４と平鋼板５５４とに跨って接合用アングル材５６０が溶接接合される。
接合手順については、両凹部５４２，５５２は所定の対応位置に配され、先ず接合用アングル材５６０の水平部が平鋼板５５４に溶接され、次いでその鉛直部がアングル材５４４に溶接される。その溶接が終了した後、当該凹部５４２，５５２内にモルタルが充填される。
【００２６】
接合構造４００，５００につき、上述の態様は本実施形態に特有なものであるが、その他の態様を除外するものではない。図２８、図２９に更に他の態様を示す。
図２８において、４００Ｘは半階段躯体部２と中層踊り場部４との接合構造（あるいは半階段躯体部３と上層踊り場部５）であり、５００Ｘは半階段躯体部２と上層踊り場部５との接合構造（あるいは半階段躯体部３と中層踊り場部４）である。
接合構造４００Ｘについて、半階段躯体部２には階段側凹部６００が、中層踊り場部４には踊り場側凹部６１０が互いに対応して凹設され、それらの底面に埋込みナット６０２，６１２が表面を露出して埋込み設置される。接合において、これらのナット６０２，６１２に跨って継手板６２０を配し、ボルト６２２，６２４を回動締め込むものである。ボルトによる接合が終了すれば凹部６００，６１０内に充填モルタル６２６が充填される。
接合構造５００Ｘについて、半階段躯体部２には階段側凹部６３０が、上層踊り場部５には踊り場側凹部６４０が互いに対応して凹設される。６３２，６４２は埋込みナット、６５０は継手板、６５２，６５４はボルト、６５６は充填モルタルであり、これらは上述した接合構造４００Ｘの構成に準じる。
【００２７】
図２９は更に別な態様を示し、４００Ｙは半階段躯体部２と中層踊り場部４との接合構造（あるいは半階段躯体部３と上層踊り場部５）であり、５００Ｙは半階段躯体部２と上層踊り場部５との接合構造（あるいは半階段躯体部３と中層踊り場部４）である。
接合構造４００Ｙについて、半階段躯体部２には前方に突出する継手板７００がアンカー筋７０２を介して埋め込み設置され、中層踊り場部４には該継手板７００を受け入れる踊り場側凹部７１０が凹設され、該凹部７１０の底面に埋込みナット７１２が表面を露出して埋込み設置される。このナット７１２に、ボルト７１４を回動締め込むものである。７１６は充填モルタルである。
接合構造５００Ｙについて、半階段躯体部２には継手板７２０が突設され、上層踊り場部５には踊り場側凹部７３０が凹設される。７２２はアンカー筋、７３２は埋込みナット、７３４はボルト、７３６は充填モルタルであり、これらは上述した接合構造４００Ｙの構成に準じる。
【００２８】
（実施形態のプレキャスト階段Ｋの施工）
上記のように構成された本実施形態のプレキャスト階段Ｋの各構成部材１，２，３，４，５，６は工場において所定の型枠をもって製作され、次いで現場に搬送され、建物本体とともに組み立てられる。
【００２９】
工場製作
本プレキャスト階段Ｋの各構成部材１〜６は、工場において所要の型枠をもって製作される。工場製作により、組立て精度、コンクリートの配合・養生等の施工管理が十全になされ、各部材において所定の強度が確保される。特に、本実施形態において、接合構造１００，２００，３００，４００，５００の施工が精確になされる。
【００３０】
搬送
次いで、本プレキャスト階段Ｋの各構成部材１〜５は、工場より現場に車輌（トラック）を介して搬送される。各部材１〜６はほぼ同程度の大きさを保持し、搬送のみならず、現場における吊上げ・吊下げ操作には便利である。
【００３１】
組立て施工
建物Ｈ本体の施工はほぼ完成状態となっており、各階層の廊下部、あるいは入口部の施工が完了している。なお、建物Ｈが施工途中であっても本プレキャスト階段Ｋの施工とともに施工できることは勿論である。
本プレキャスト階段Ｋの各構造部材１〜６が施工現場に搬入される。
以下、施工手順に従って説明する。
【００３２】
(1) 基礎部Ｂの構築
建物Ｈの側面において、階段の取付け部において、地盤Ｇを整地、補強処置をし、該地盤Ｇ上に基礎部Ｂを構築する。
該基礎部Ｂは広い支持面を有し、その上に裁置される本プレキャスト階段Ｋの荷重に耐えるものである。該基礎部Ｂには、下層踊り場部６が建物Ｈとの連接をなしつつ設置される。該下層踊り場部６は基礎部Ｂ上に、特に水準を保ち、かつ前後の位置を精確にして設置され、その鉄筋２７は建物Ｈの１階の床版部（図示せず）に埋め込まれる。
また、該基礎部Ｂに配設された補強筋の縦筋は上面より突出され、中間壁柱部１との接合構造の上部接合部１１０となる。
【００３３】
(2) 中間壁柱部１の設置
第１層目の中間壁柱部１を基礎Ｂ上に設置する。
詳しくは、基礎部Ｂの縦筋１１を中間壁柱部１の下部接合部１２０のインサート１３０に引き入れ、該インサート１３０の空間１３２に充填モルタルを注入し、その固結により中間壁柱部１の固定がなされる。
【００３４】
(3) 中層踊り場部４の設置
第１層目の中間壁柱部１が設置された後、接合構造２００を介して中層踊り場部４が固定設置される。
すなわち、中間壁柱部１の前面の壁柱側接合部２１０の内孔部２１２に、中層踊り場部４の継手梁２３０を挿入し、所定位置まで挿入した後、壁柱側接合部２１０の後端部と継手梁２３０とを溶接する。
【００３５】
(4) 下部半階段躯体部２の設置
下部半階段躯体部２を吊上げ、下層踊り場部６と中層踊り場部４との間に吊り込む。
下部半階段躯体部２と下層踊り場部６とは接合構造５００Ｂにより接合される。段部は位置決め機能を発揮する。下部半階段躯体部２と中層踊り場部４とは接合構造４００Ａにより接合される。傾斜面は該階段躯体部の落とし込みを円滑とする機能を発揮する。
【００３６】
(5) 上層踊り場部５の設置
第１層目の中間壁柱部１に接合構造３００を介して上層踊り場部５が固定設置される。当該設置作業は本実施例では上記工程(4) の後でなされるが、該工程(4) に先立ち、あるいは工程(4) と同時になされてもよい。
すなわち、中間壁柱部１の後端面の壁柱側接合部３１０の内孔部３１２に、上層踊り場部５の継手梁３３０を挿入し、所定位置まで挿入した後、壁柱側接合部３１０の後端部と継手梁３３０とを溶接する。
上層踊り場部５の鉄筋２７は建物Ｈの各階段の床版部に埋め込まれる。
【００３７】
(6) 上部半階段躯体部３の設置
上部半階段躯体部３を吊上げ、中層踊り場部４と上層踊り場部５との間に吊り込む。
上部半階段躯体部３と中層踊り場部４とは接合構造４００Ｂにより接合される。
上部半階段躯体部３と上層踊り場部５とは接合構造５００Ａにより接合される。
【００３８】
(7) 
中間壁柱部１につき更に上層に第２層目の中間壁柱部１が設置され、以後(2) 〜 (6)の工程が繰り返される。
【００３９】
(8) 最上層階について
最上層階については、最上層踊り場部５Ａの設置がなされた後、該最上層踊り場部５Ａと中層踊り場部４との間に最後の上部半階段躯体部３を設置することにより本作業は終了する。
【００４０】
上記工程において、各階層の中間壁柱部１への中層踊り場部４及び上層踊り場部５を同時的に施工してもよい。従って、この場合、階段躯体部の施工は、下部半階段躯体部２と上部半階段躯体部３とを同時的に施工してもよい。また、上部半階段躯体部３を先にし、下部半階段躯体部２を後に施工することも可能である。
【００４１】
（実施形態の効果）
本実施形態のプレキャスト階段Ｋは、以上のように工場において品質・管理のなされた工程で製作され、また現場での当該部材による組立て施工がなされるものであるので、以下の効果を有する。
すなわち、工場内製作により、組立て精度、コンクリートの配合・養生等の施工管理が十全になされ、品質が確保され、各部材において所定の強度が確保される。特に、本実施形態の各部材１〜６において、接合構造１００，２００，３００，４００，５００の施工が精確になされる。更には、各部材はほぼ同程度の大きさとなり吊上げ、吊下げあるいは車輌搬送が容易になされ、便利である。
現場での組立て施工は、中間壁柱部１を中心に、他の部材特に踊り場部４，５が精確かつ強固に固定され、かつ、その固設作業は容易になされる。
すなわち、その組立て作業において、中間壁柱部１と踊り場部４，５との接合は所定の接合構造２００，３００により、該接合構造２００，３００が精確なものであり、接合は密嵌合状態のすきま嵌合と溶接により強固になされる。また、その接合作業において、特別なコンクリートの現場打ち作業がなく、小規模なセメント注入作業並びに溶接作業のみであり、作業設備が簡単化する。
また、上層踊り場部５はその接手鉄筋により建物Ｈの躯体への接合は容易になされる。
半階段躯体部２，３は、既に取り付けられている踊り場部４，５への落し込み作業により、位置出し作業がなされ、かつその接合は所定の接合構造４００，５００により、該接合構造４００，５００が精確なものであり、接合は溶接により強固になされる。
組み立てられた本プレキャスト階段Ｋは、中間壁柱部１と踊り場部４，５とが一体となり、強固な骨組構造を構成し、半階段躯体部２，３はこの力学系に付加されたものとなり、全体の力学解析が明確かつ容易である。
すなわち、中間壁柱部１と踊り場部４，５との接合は所定の接合構造２００，３００により、その密嵌性及び溶接固定により、一体性のある構造物が得られる。この構造物は上下にもインサート接合により一体的に連接され、高層化に対応できる。更に、上層踊り場部５の建物Ｈの躯体への接合により、一体化は促進される。
【００４２】
本発明は上記の実施の形態に限定されるものではなく、本発明の基本的技術思想の範囲内で種々設計変更が可能である。すなわち、以下の態様は本発明の技術範囲内に包含されるものである。
1)本実施形態では、建物Ｈに直交し直角に昇降するいわゆる「立型」を採るが、建物Ｈと平行に昇降するいわゆる「横型」（あるいは「平行型」）についても
適用される。
当該横型態様においては、建物Ｈとの接続は、踊り場部５，６において袖壁部は横位置に開放される。
2)ボックスと継手梁とは方形に限定されず、台形でもよく、他の多角形、円形も採用し得る。
【図面の簡単な説明】
【００４３】
【図１】本発明のコンクリート製プレキャスト階段の一実施形態の全体側面図（図３の１方向矢視図）。
【図２】その反対側面図（図３の２方向矢視図）。
【図３】その平面図（図１の３方向矢視図）。
【図４】その正面図（図１の４方向矢視図）。
【図５】中間壁柱部の側面図。
【図６】(a）図は中間壁柱部の前端面を示す図。  (b) 図は中間壁柱部の後端面を示す図。
【図７】下部半階段躯体部の側面図（図８の７方向矢視図）。
【図８】下部半階段躯体部の平面図（図７の８方向矢視図）。
【図９】上部半階段躯体部の側面図。
【図１０】上部半階段躯体部の平面図。
【図１１】中層踊り場部の平面図（図１２の１１方向矢視図）。
【図１２】中層踊り場部の側面図（図１１の１２方向矢視図）。
【図１３】上層踊り場部の平面図（図１４の１３方向矢視図）。
【図１４】上層踊り場部の側面図（図１３の１４方向矢視図）。
【図１５】中間壁柱部と中層踊り場部との接合構造２００の詳細構造図（図１６の１５−１５線断面図）。
【図１６】その平面図（図１５の１６方向矢視図）。
【図１７】図１６の１７−１７線断面図。
【図１８】図１６の１８−１８線断面図。
【図１９】図１６の１９−１９線断面図。
【図２０】接合部４００Ａの概略構成図。
【図２１】接合部４００Ａの詳細構成図。
【図２２】図２１の平面図。
【図２３】接合部４００Ｂの概略構成図。
【図２４】接合部４００Ｂの詳細構成図。
【図２５】図２４の平面図。
【図２６】接合部５００Ａの詳細構成図。
【図２７】接合部５００Ｂの詳細構成図。
【図２８】接合部４００の他の態様図。
【図２９】接合部４００の更に他の態様図。
【符号の説明】
【００４４】
Ｋ…コンクリート製プレキャスト階段、１…中間壁柱部、２…下部半階段躯体部、３…上部半階段躯体部、４…中層踊り場部、５…上層踊り場部、６…下層踊り場部、１００…接合構造、１１０…上部接合部、１２０…下部接合部、２００…接合構造、２１０…壁柱側接合部、２２０…踊り場部側接合部、３００…接合構造、３１０…接合部、３２０…接合部、４００…接合構造、５００…接合構造
【図１】
2006077489.tif 000003
【図２】
2006077489.tif 000004
【図３】
2006077489.tif 000005
【図４】
2006077489.tif 000006
【図５】
2006077489.tif 000007
【図６】
2006077489.tif 000008
【図７】
2006077489.tif 000009
【図８】
2006077489.tif 000010
【図９】
2006077489.tif 000011
【図１０】
2006077489.tif 000012
【図１１】
2006077489.tif 000013
【図１２】
2006077489.tif 000014
【図１３】
2006077489.tif 000015
【図１４】
2006077489.tif 000016
【図１５】
2006077489.tif 000017
【図１６】
2006077489.tif 000018
【図１７】
2006077489.tif 000019
【図１８】
2006077489.tif 000020
【図１９】
2006077489.tif 000021
【図２０】
2006077489.tif 000022
【図２１】
2006077489.tif 000023
【図２２】
2006077489.tif 000024
【図２３】
2006077489.tif 000025
【図２４】
2006077489.tif 000026
【図２５】
2006077489.tif 000027
【図２６】
2006077489.tif 000028
【図２７】
2006077489.tif 000029
【図２８】
2006077489.tif 000030
【図２９】
2006077489.tif 000031